(57)【要約】      （修正有）【課題】貨幣処理装置が備える金庫の金庫扉に係る操作性を向上した貨幣処理装置を提供する。【解決手段】貨幣処理装置１であって、金庫扉３１を有する金庫と、金庫の内部に設けられた収納部１９とによって構成する。金庫を開く際に金庫扉３１が金庫から離れる所定方向へスライドするように金庫扉３１を設ける。【選択図】図２
2020021236.tif 000002
【特許請求の範囲】
【請求項１】
貨幣処理装置であって、
金庫扉を有する金庫と、
前記金庫の内部に設けられた貨幣収納部と
を備え、
前記金庫扉を開く際、前記金庫扉が前記金庫から離れる所定方向へスライドすることを特徴とする貨幣処理装置。
【請求項２】
前記金庫扉は、前記金庫の一側面に形成された開口部を閉塞する位置から、前記一側面と垂直な方向に平行移動して開くことを特徴とする請求項１に記載の貨幣処理装置。
【請求項３】
前記金庫扉は、前記金庫の前面に形成された開口部を閉塞する位置から、前記前面と垂直な方向に平行移動して開くことを特徴とする請求項２に記載の貨幣処理装置。
【請求項４】
前記金庫扉は、複数のロック板を進退させる施錠機構を有し、
前記施錠機構は、前記金庫の開口部を形成する４辺のうち対向する２辺に対応する位置で各ロック板を進退させることを特徴とする請求項１〜３のいずれか１項に記載の貨幣処理装置。
【請求項５】
前記金庫は内側に固定された枠体を有し、
前記金庫扉を閉じた状態で、
各ロック板が前記枠体の背面側で前記枠体と係合する位置まで進出して、前記金庫扉がロック状態となり、
各ロック板が前記枠体との係合が解除される位置まで後退して、前記金庫扉が非ロック状態となる
ことを特徴とする請求項４に記載の貨幣処理装置。
【請求項６】
前記金庫は複数のスライドレールを有し、
前記金庫扉は前記スライドレールに沿ってスライドすることを特徴とする請求項５に記載の貨幣処理装置。
【請求項７】
前記枠体は、前記スライドレールが通る位置とは異なる位置に設けられた複数の枠材から成ることを特徴とする請求項６に記載の貨幣処理装置。
【請求項８】
スライドする前記金庫扉を支持するキャスターをさらに備えることを特徴とする請求項１〜６のいずれか１項に記載の貨幣処理装置。
【請求項９】
前記キャスターは、前記金庫扉を開く際には前記金庫扉を支持して、前記金庫扉を閉じる際には前記金庫の内部に格納されることを特徴とする請求項８に記載の貨幣処理装置。
【請求項１０】
前記キャスターは、前記金庫扉の外側に設けられていることを特徴とする請求項８に記載の貨幣処理装置。
【請求項１１】
前記金庫扉は、前記金庫の一側面に形成された開口部を閉塞する位置から、前記一側面と平行な方向に平行移動して開くことを特徴とする請求項１に記載の貨幣処理装置。
【請求項１２】
前記金庫扉は、前記金庫の上面に形成された開口部を閉塞する位置から、前記上面と平行な方向に平行移動して開くことを特徴とする請求項１１に記載の貨幣処理装置。
【発明の詳細な説明】
【技術分野】
【０００１】
この発明は、貨幣を収納するための金庫を備える貨幣処理装置に関する。
【背景技術】
【０００２】
従来、紙幣や硬貨を収納する収納部が金庫内に収められた貨幣処理装置が利用されている。例えば、特許文献１及び２には、上部ユニットと下部ユニットとに分かれ、下部ユニットが金庫で構成された貨幣処理装置が開示されている。紙幣は、上部ユニット内で搬送されながら識別計数される。下部ユニット内には、紙幣を金種別に収納できるように複数の収納部が設けられている。上部ユニット内で紙幣を搬送する搬送路と、下部ユニット内で紙幣を搬送する搬送路とが、金庫に設けられた貫通穴を介して接続されている。上部ユニットで処理された紙幣は、貫通穴から下部ユニット内に搬送され、収納部に収納される。貫通穴は紙幣の厚みに合わせて形成されており、貫通穴から下部ユニット内に手を入れることはできない。金庫内の収納部から紙幣を取り出すには、金庫前面に設けられた金庫扉を開く必要がある。
【０００３】
金庫扉は、ボルトワークと電子錠を利用して施錠される。ボルトワークは、金庫本体の前面開口部を金庫扉で閉塞した状態で金庫扉をロックするための機構である。金庫扉の外側に設けられたレバーを回動すると、ボルトワークの機能により、金庫扉の状態がロック状態と非ロック状態との間で切り換えられる。電子錠によって金庫扉が施錠されると、金庫扉がロック状態に固定されて非ロック状態に切り換えられないようになる。
【０００４】
例えば、電子錠は数字キーを含む複数のキーを有する。これらのキーにより金庫扉の解錠操作を行うと、金庫扉をロック状態から非ロック状態へ切り換えられるようになる。レバーを回動してロック状態から非ロック状態に切り換えた後、レバーを手前に引くと、一方の側面がヒンジで支持された金庫扉が回動して他方の側面が開く。金庫扉が開くと、金庫内の収納部を手前に引き出せるようになっている。収納部を金庫の外側に引き出すことにより収納部の点検や収納部に収納された紙幣の回収が可能となる。
【先行技術文献】
【特許文献】
【０００５】
【特許文献１】特開２０１０−２２４８０８号公報
【特許文献１】特開２０１３−１１４３５５号公報
【発明の概要】
【発明が解決しようとする課題】
【０００６】
しかしながら、上記従来技術では貨幣処理装置の設置時に問題が生ずることがあった。ヒンジで支持された金庫扉を回動して開き、収納部を手前に引き出す際、貨幣処理装置の設置環境によって、金庫扉を右開きとした方が好ましい場合と、左開きにした方が好ましい場合とがある。例えば、貨幣処理装置の右側面が壁面に接しているような場合、金庫扉の左側方にヒンジを設けて左側に開く左開きとした方が操作性がよい。装置左側面が壁面と接する場合は金庫扉を右側に開く右開きとした方が操作性がよい。このため、貨幣処理装置の利用者が、利用環境に応じて選択できるように、金庫扉が右開きの貨幣処理装置と左開きの貨幣処理装置との両方の仕様を準備する必要があった。
【０００７】
例えば、左開きの金庫扉を有する貨幣処理装置２台を左右に並べて使用する場合、右側の装置の金庫扉を開いて、金庫扉を左側の装置側へ移動している間、左側の装置の金庫扉を開くことができない。近年、貨幣処理装置を複数台並べて使用することが増えており、左開きと右開きの両方の仕様を設けても、一部の貨幣処理装置で、隣接する貨幣処理装置の金庫扉を開いている間は金庫扉を開けない状態となっていた。
【０００８】
本発明は、上記従来技術による課題に鑑みてなされたものであって、金庫扉の開閉操作に係る操作性を向上した貨幣処理装置を提供することを目的とする。
【課題を解決するための手段】
【０００９】
上述した課題を解決し、目的を達成するため、本発明は、貨幣処理装置であって、金庫扉を有する金庫と、前記金庫の内部に設けられた貨幣収納部とを備え、前記金庫扉を開く際、前記金庫扉が前記金庫から離れる所定方向へスライドすることを特徴とする。
【００１０】
また、本発明は、上記発明において、前記金庫扉は、前記金庫の一側面に形成された開口部を閉塞する位置から、前記一側面と垂直な方向に平行移動して開くことを特徴とする。
【００１１】
また、本発明は、上記発明において、前記金庫扉は、前記金庫の前面に形成された開口部を閉塞する位置から、前記前面と垂直な方向に平行移動して開くことを特徴とする。
【００１２】
また、本発明は、上記発明において、前記金庫扉は、複数のロック板を進退させる施錠機構を有し、前記施錠機構は、前記金庫の開口部を形成する４辺のうち対向する２辺に対応する位置で各ロック板を進退させることを特徴とする。
【００１３】
また、本発明は、上記発明において、前記金庫は内側に固定された枠体を有し、前記金庫扉を閉じた状態で、各ロック板が前記枠体の背面側で前記枠体と係合する位置まで進出して、前記金庫扉がロック状態となり、各ロック板が前記枠体との係合が解除される位置まで後退して、前記金庫扉が非ロック状態となることを特徴とする。
【００１４】
また、本発明は、上記発明において、前記金庫は複数のスライドレールを有し、前記金庫扉は前記スライドレールに沿ってスライドすることを特徴とする。
【００１５】
また、本発明は、上記発明において、前記枠体は、前記スライドレールが通る位置とは異なる位置に設けられた複数の枠材から成ることを特徴とする。
【００１６】
また、本発明は、上記発明において、スライドする前記金庫扉を支持するキャスターをさらに備えることを特徴とする。
【００１７】
また、本発明は、上記発明において、前記キャスターは、前記金庫扉を開く際には前記金庫扉を支持して、前記金庫扉を閉じる際には前記金庫の内部に格納されることを特徴とする。
【００１８】
また、本発明は、上記発明において、前記キャスターは、前記金庫扉の外側に設けられていることを特徴とする。
【００１９】
また、本発明は、上記発明において、前記金庫扉は、前記金庫の一側面に形成された開口部を閉塞する位置から、前記一側面と平行な方向に平行移動して開くことを特徴とする。
【００２０】
また、本発明は、上記発明において、前記金庫扉は、前記金庫の上面に形成された開口部を閉塞する位置から、前記上面と平行な方向に平行移動して開くことを特徴とする。
【発明の効果】
【００２１】
本発明によれば、金庫の開口部を閉塞する金庫扉を、金庫から離れる方向へスライドして、開口部を開くことができる。金庫扉が左右に回動する従来装置のように設置場所が制約されず、金庫扉の開閉操作に係る操作性を向上することができる。
【図面の簡単な説明】
【００２２】
【図１】図１は、金庫扉を閉じた紙幣処理装置の外観を示す図である。
【図２】図２は、金庫扉を開いた貨幣処理装置の外観を示す図である。
【図３】図３は、紙幣処理装置の構成を示す断面模式図である。
【図４】図４は、紙幣処理装置の機能構成を示すブロック図である。
【図５】図５は、金庫扉を開いた状態を側方から見た模式図である。
【図６】図６は、金庫扉を開いた状態を前方から見た模式図である。
【図７】図７は、金庫扉を閉じた状態を側方から見た模式図である。
【図８】図８は、金庫扉を閉じた状態を前方から見た模式図である。
【図９】図９は、金庫扉のロック状態と非ロック状態を説明するための模式図である。
【図１０】図１０は、ロック状態及び非ロック状態のロック板を示す模式図である。
【図１１】図１１は、図６に示すケースの変形例を示す図である。
【図１２】図１２は、図６に示すスライドレールの設置方法の変形例を示す図である。
【図１３】図１３は、図１２に示す構成を有する金庫のロック状態を側方から見た模式図である。
【図１４】図１４は、図５に示すキャスターの変形例を示す図である。
【図１５】図１５は、図１４に示す構成を有する金庫を前方から見た模式図である。
【図１６】図１６は、図３に示す搬送部の変形例を示す図である。
【図１７】図１７は、図１６に示す紙幣処理装置の金庫扉を開いた状態を示す外観図である。
【図１８】図１８は、図１６に示す紙幣処理装置の変形例を示す図である。
【図１９】図１９は、図１８に示す紙幣処理装置の金庫扉を開いた状態を示す外観図である。
【図２０】図２０は、図３に示す紙幣処理装置の変形例を示す図である。
【図２１】図２１は、図２０に示す紙幣処理装置の変形例を示す図である。
【図２２】図２２は、図２０及び図２１に示す金庫扉を開いた状態を示す模式図である。
【図２３】図２３は、カセットの上面に設けた金庫扉の外観を示す模式図である。
【図２４】図２４は、図２０〜図２３に示す金庫扉の変形例を示す図である。
【発明を実施するための形態】
【００２３】
以下、添付図面を参照しながら、本発明に係る貨幣処理装置の好適な実施形態について詳細に説明する。本発明に係る貨幣処理装置は、金庫を有し、貨幣を処理して金庫内に収納する。貨幣処理装置によって処理されて金庫に収納される貨幣には、紙幣と硬貨の少なくともいずれか一方が含まれるが、本実施形態では、紙幣を識別計数する紙幣処理装置を例に詳細を説明する。
【００２４】
図１は、金庫扉３１を閉じた紙幣処理装置（貨幣処理装置）１の外観を示す図である。紙幣処理装置１は、上部ユニット１１と下部ユニット１０とに分かれている。上部ユニット１１には、入金口１２と、出金口１３と、リジェクト口１４とが設けられている。入金処理時には、入金する紙幣が入金口１２に載置される。紙幣処理装置１は、入金口１２の紙幣を１枚ずつ装置内部に取り込んで識別計数し、入金できない紙幣はリジェクト口１４に排出する。出金処理時には、出金する紙幣が装置内から繰り出されて出金口１３に排出される。
【００２５】
下部ユニット１０は、金属製の金庫本体３０と、金庫本体３０の前面の開口部を閉塞する金属製の金庫扉３１とを有する。下部ユニット１０は、金庫本体３０と金庫扉３１とから成る金庫として機能する。本実施形態では、図１に示す紙幣処理装置１の４側面のうち金庫扉３１がある面を前面、これと対向する面を後面又は背面、前面側に居る操作者から紙幣処理装置１を見て右手側を右、左手側を左と記載する。
【００２６】
金庫扉３１の前面には、金庫扉３１を施錠、解錠するための電子錠４２と、解錠時に金庫扉３１のロック状態と非ロック状態とを切り換えるためのレバー４３とが設けられている。通常、金庫扉３１は、金庫本体３０の前面開口部を閉塞した状態で施錠されている。電子錠４２には、数字キーを含む複数のキーが設けられている。キーを操作して、予め設定された複数桁の数字を入力すると電子錠４２が解錠される。解錠直後は金庫扉３１がロック状態にあるが、レバー４３を９０度回動して金庫扉３１を非ロック状態とすることができる。非ロック状態とした後、レバー４３を手前に引くと、金庫扉３１を開くことができる。
【００２７】
図２は、金庫扉３１を開いた紙幣処理装置１の外観を示す図である。金庫扉３１の背面側には、金庫扉３１のロック状態と非ロック状態とを切り換えるためのボルトワーク４０が設けられている。ボルトワーク４０は金庫扉３１を施錠するための施錠機構である。レバー４３を回動することによって、ボルトワーク４０の左右両側面に設けられた複数のロック板４１が進退移動して、金庫扉３１のロック状態と非ロック状態とを切り換えるようになっている。
【００２８】
金庫扉３１の背面には、上面が開放されたケース５０が取り付けられている。ケース５０内に、紙幣を収納する収納部１９及びカセット２０が収められている。金庫扉３１及び金庫扉３１に固定されたケース５０を、金庫本体３０に対して、スライド移動できるように、ケース５０の外側と金庫本体３０の内側との間が複数のスライドレール６０によって接続されている。具体的には、ケース５０の右側面と、金庫本体３０の右側面との間が、上下方向に距離を離して配置された２つのスライドレール６０によって接続されている。また、ケース５０の左側面と、金庫本体３０の左側面との間が、上下方向に距離を離して配置された２つのスライドレール６０によって接続されている。各スライドレール６０は、例えば、複数のレールを組み合わせた多段式のレール構造を有する。金庫扉３１を非ロック状態にしてレバー４３を手前に引くと、図２に示すように、金庫扉３１及びケース５０を、装置外側、すなわち金庫本体３０の外側に引き出すことができる。金庫扉３１は、金庫本体３０の前面に形成された開口部を閉塞する位置から、前面と垂直な方向に平行移動する。このとき、金庫扉３１は、スライドレール６０の機能によって、金庫本体３０から離れる方向へスライド移動する。金庫扉３１の移動によって金庫本体３０の前面開口部が開放されケース５０が外側に引き出される。金庫扉３１は、例えば、紙幣処理装置１の点検や整備、収納部１９の着脱、カセット２０の着脱を目的として開閉される。ケース５０を引き出すことにより、ケース５０に収められたカセット２０を上方に抜き取ることができる。また、収納部１９の点検を行うことができる。
【００２９】
図２には示していないが、ケース５０の底面にはキャスターが取り付けられている。例えば、車輪型のキャスター又はボール型のキャスターがケース５０底面に固定されている。ケース５０を引き出した際、金庫扉３１の重さによってケース５０の前方が下がってスライドレール６０が歪まないように、キャスターが金庫扉３１及びケース５０を支持している。キャスターの詳細は後述する。
【００３０】
図３は、紙幣処理装置１の構成を示す断面模式図である。上部ユニット１１には、入金口１２、出金口１３、リジェクト口１４の他に、搬送部１５と、識別部１６と、一時保留部１８とが設けられている。下部ユニット１０内には、複数の収納部１９と、カセット２０とが設けられている。搬送部１５は、各部を接続する搬送路を含み、搬送路に沿って紙幣を搬送する。識別部１６は、搬送部１５が搬送する紙幣を識別する。例えば、紙幣の金種、真偽、正損、方向が識別部１６によって識別される。一時保留部１８は、例えば入金処理時に、識別部１６が識別した紙幣を一時的に収納するために利用される。入金口１２から繰り出された紙幣は、識別部１６で識別計数されて一時保留部１８に一時的に収納される。この状態で、識別計数結果に問題がないかを確認する操作が行われる。識別計数結果に問題がないことが確認された後、一時保留部１８に収納されていた紙幣が搬送路に繰り出される。繰り出された紙幣は、搬送路に沿って搬送され、対応する収納部１９又はカセット２０に収納される。
【００３１】
収納部１９は、収納した紙幣を搬送路に繰り出す機能を有する。出金処理時には、収納部１９から繰り出された紙幣が、搬送路に沿って搬送され、出金口１３に排出される。カセット２０は、例えば、紙幣処理装置１から回収する紙幣の収納に利用される。カセット２０は、収納部１９と同様に紙幣収納部として機能するが、紙幣の繰り出しは行わない。カセット２０は、紙幣処理装置１に対して着脱可能に設けられている。図２に示したように金庫扉３１を手前に引いてケース５０を装置外側に引き出して、紙幣が収納されたカセット２０を上方に引き抜いて装置から取り外すことができる。これにより、カセット２０ごと紙幣を回収して運搬できるようになっている。
【００３２】
上部ユニット１１内の搬送路には環状の搬送路が含まれ、この搬送路に沿って紙幣を循環搬送できるようになっている。この搬送路から分岐して収納部１９及びカセット２０に延びた分岐搬送路に沿って紙幣が搬送され、収納部１９及びカセット２０に収納される。
【００３３】
金庫を形成する下部ユニット１０は、金庫扉３１が設けられた装置前面を除く５つの面全てが金属板で形成されている。下部ユニット１０の上面には、収納部１９及びカセット２０に対応する位置に貫通穴が設けられている。上部ユニット１１内の搬送路と、収納部１９及びカセット２０との間を接続する分岐搬送路は、この貫通穴を通って紙幣を搬送する。貫通穴近傍には、分岐搬送路を利用して上部ユニット１１と下部ユニット１０との間で紙幣を受け渡しする機構が設けられている。貫通穴から下部ユニット１０内、すなわち金庫内の紙幣に触れることはできず、金庫内から紙幣を取り出せないようになっている。
【００３４】
図４は、紙幣処理装置１の機能構成を示すブロック図である。紙幣処理装置１は、図１〜図３に示した構成の他に、制御部１７と、操作部２１と、表示部２２とを有する。操作部２１は、紙幣処理に関する各種情報を入力するために利用される。表示部２２は、紙幣処理に関する各種情報を表示する。制御部１７が、操作部２１による操作を受け付けて、表示部２２に情報を表示しながら各部を制御する。これにより、紙幣処理装置１は、様々な紙幣処理を行うことができる。このような紙幣処理装置１の機能及び構成と紙幣処理内容とは従来知られているため詳細な説明は省略し、以下、下部ユニット１０（金庫）について詳細を説明する。
【００３５】
図５は、金庫扉３１を開いた状態を側方から見た模式図である。金庫本体３０には、複数の枠材７０ａ〜７０ｃを含む枠体７０が固定されている。金庫本体３０の左右側面に固定された枠体７０は、複数の枠材７０ａ〜７０ｃに分割されている。枠体７０を分割してできた隙間部分を、スライドレール６０を構成するレールが通るようになっている。言い換えれば、枠体７０は、スライドレール６０が通る位置とは異なる位置に設けられた複数の枠材７０ａ〜７０ｃで構成されている。ボルトワーク４０のロック板４１は、スライドレール６０が通る位置を避けて、すなわち枠体７０に形成された隙間を避けて設けられている。
【００３６】
ケース５０の底面にはキャスター８０（８０ａ〜８０ｅ）が取り付けられている。キャスター８０は、車輪８０ａ、車輪軸８０ｂ、支持部８０ｃ、支持軸８０ｄ及び台部８０ｅから成る。ケース５０底面に固定された台部８０ｅに支持軸８０ｄが取り付けられている。支持部８０ｃは支持軸８０ｄ周りに回動可能に設けられている。車輪８０ａは、支持部８０ｃに取り付けられた車輪軸８０ｂ周りに回転可能に設けられている。キャスター８０は、図５に矢印で示すように回動する。支持部８０ｃは、図示しないバネ部材によって、支持軸８０ｄを中心とする時計回りの方向に付勢されている。ケース５０を金庫本体３０から引き出すと、付勢された支持部８０ｃが時計回りに回動し、車輪８０ａが床面と接触する。ケース５０はキャスター８０によって支持され、ケース５０をスライド移動させる際にキャスター８０の車輪８０ａが回転する。
【００３７】
図６は、金庫扉３１を開いた状態を前方から見た模式図である。図６では、ケース５０と各部との関係を示すため金庫扉３１を省略している。図６に示すように、枠体７０は、左右それぞれの側面に固定された枠材７０ａ、７０ｂと、下面に固定された枠材７０ｃ〜７０ｅと、上面に固定された枠材７０ｆとによって構成されている。金属製の棒状の枠材７０ａ〜７０ｆから成る枠体７０は、金庫本体３０の内壁に沿って設けられている。金庫扉３１を閉じた際には、金庫扉３１の背面外周部が枠体７０の前面と接して金庫本体３０の開口部を閉塞する。
【００３８】
枠材７０ａと枠材７０ｂとの間にスライドレール６０が配置されている。枠材７０ｂと枠材７０ｃとの間にスライドレール６０が配置されている。すなわち、スライドレール６０の配置位置に合わせて枠体７０が複数の枠材７０ａ〜７０ｃに分割され、２つの枠材の間をスライドレール６０が通るようになっている。
【００３９】
枠材７０ｃと枠材７０ｄとの間にキャスター８０が配置されている。同様に、枠材７０ｄと枠材７０ｅとの間にキャスター８０が配置されている。すなわち、キャスター８０の位置に合わせて枠体７０が複数の枠材７０ｃ〜７０ｅに分割され、２つの枠材の間をキャスター８０が通るようになっている。
【００４０】
金庫扉３１を閉じる際、キャスター８０が金庫本体３０の内部に格納される。図７は、金庫扉３１を閉じた状態を側方から見た模式図である。図７では、キャスター８０の格納状態を示すため金庫本体３０を断面で示している。金庫扉３１を閉じる際には、車輪８０ａを支持する支持部８０ｃが、図示しないバネ部材による付勢に反して支持軸８０ｄ周りに反時計回りに回動し、図７に示すようにキャスター８０が金庫本体３０内部に格納される。
【００４１】
金庫扉３１の前面に設けられたレバー４３を回動すると、ボルトワーク４０のロック板４１がボルトワーク４０の外側へ突出する。図７に示すように、金庫扉３１を閉じた際、ボルトワーク４０の左右両側面に設けられたロック板４１の位置は、金庫本体３０に固定された枠材７０ａ、７０ｂよりも装置背面側の位置となる。この位置でロック板４１と枠材７０ａ、７０ｂとを係合したロック状態にする。この結果、金庫扉３１を開こうとしても、ロック板４１の前面が枠材７０ａ、７０ｂの背面と接触し、金庫扉３１を開くことができない。ロック状態にしたときに、ロック板４１の前面が上下方向全体に亘って枠材７０ａ、７０ｂの背面と接触するように、ロック板４１は、枠材７０ａと枠材７０ｂの間の隙間と、枠材７０ｂと枠材７０ｃの間の隙間とを避けて配置されている。
【００４２】
図８は、金庫扉３１を閉じた状態を前方から見た模式図である。図８では、キャスター８０の格納状態を示すため金庫扉３１を省略している。図８に示すように、金庫本体３０の下面にある枠材７０ｃと枠材７０ｄとの間に左側のキャスター８０が通る隙間が設けられ、枠材７０ｄと枠材７０ｅとの間に右側のキャスター８０が通る隙間が設けられている。金庫扉３１を閉じる際は、枠材の間をキャスター８０が通過して金庫本体３０内部に格納される。金庫扉３１を開く際、キャスター８０は、枠材の間を通過して金庫本体３０の外側に出た位置で、バネ部材による付勢によって下方へ飛び出し、図５及び図６に示すようにケース５０を支持する。
【００４３】
図９は、金庫扉３１のロック状態と非ロック状態を説明するための模式図である。図９は、金庫前方部分を上方から見た状態を示している。図９（ａ）はロック状態を示し、図９（ｂ）は非ロック状態を示している。
【００４４】
図９（ａ）に示すように、ロック状態は、ボルトワーク４０の左右それぞれの側面からロック板４１が外側へ進出した状態である。ロック板４１は、金庫本体３０に固定された枠材７０ａ、７０ｂの背面側で進出する。ロック板４１は、前面の一部が、枠材７０ａ、７０ｂの背面の一部と接触する位置まで進出する。すなわち、ボルトワーク４０の左右両側面にあるロック板４１は、両端の間の距離Ｗｂが、枠材７０ａ、７０ｂの間の距離Ｗａよりも広くなる位置まで進出する（Ｗｂ＞Ｗａ）。金庫本体３０の内側、左右両側面の枠体７０が固定された位置で、各ロック板４１が枠材７０ａ、７０ｂと接触して金庫扉３１を前方に開くことができないロック状態となる。
【００４５】
金庫扉３１のレバー４３を操作してロック状態から非ロック状態に切り換えると、各ロック板４１が、図９（ａ）に示す位置からボルトワーク４０内へ向けて後退する。図９（ｂ）に示すように、ボルトワーク４０の左右両側面にあるロック板４１は、両端の間の距離Ｗｃが、枠材７０ａの間の距離Ｗａより狭くなる位置まで後退する（Ｗｃ＜Ｗａ）。この結果、ロック板４１が枠材７０ａ、７０ｂと接触することなく、金庫扉３１をスライド移動することができる非ロック状態となる。
【００４６】
図１０は、ロック状態及び非ロック状態のロック板４１を示す模式図である。図１０は前面側から見た状態を示している。図１０（ａ）はロック状態のロック板４１を示し、図１０（ｂ）は非ロック状態のロック板４１を示している。図１０（ａ）が図９（ａ）に対応し、図１０（ｂ）が図９（ｂ）に対応している。
【００４７】
図１０（ａ）に示すように、ロック状態は、ボルトワーク４０の左右側面から４枚のロック板４１が外側に大きく突出した状態である。また、ロック状態は、電子錠４２によってレバー４３がロックされ、レバー４３を回動できない状態である。電子錠４２を操作して解錠すると、レバー４３を９０度回動できるようになる。図１０（ａ）に矢印で示すようにレバー４３を回動すると、ボルトワーク４０の機能により、図１０（ｂ）に矢印で示すように４枚のロック板４１が同時にボルトワーク４０の内部方向へ後退して非ロック状態となる。なお、ロック板４１の形状は、４枚全てが同一形状じあってもよいし、少なくとも１枚が異なる形状を有していてもよい。例えば、４枚のロック板４１の上下方向の寸法、左右方向の寸法及び厚み寸法が全て同じであってもよいし、一部のロック板４１が異なる寸法を有する態様であってもよい。また、図１０では、金庫本体３０の開口部を形成する４辺のうち対向する２辺 に対応する、ボルトワーク４０の左右の側面で、それぞれ２枚のロック板４１を進退させる例を示したが、ロック板４１を設ける位置がこれに限定されるものではない。例えば、ボルトワーク４０の四隅にロック板４１を配置して、対角線方向にロック板４１を進退させる態様であってもよい。
【００４８】
このように、紙幣処理装置１の下部ユニット１０は金庫を形成し、金庫前面には、金庫本体３０の開口部を閉塞するための金庫扉３１が設けられている。金庫本体３０との間をスライドレール６０によって接続された金庫扉３１は、金庫本体３０の開口部を閉塞する位置から装置前方側へスライド移動して開口部を開放する。すなわち、金庫本体３０の前面開口部を閉塞していた金庫扉３１は、前面と垂直な方向に平行移動する。金庫扉３１と共にケース５０を装置の前方外側に引き出すことにより、金庫本体３０の内部に収納されていたカセット２０を紙幣処理装置１から取り外したり、収納部１９の点検を行ったりすることができる。従来の紙幣処理装置が有する左開き又は左開きの金庫扉のように、金庫本体３０より左外側又は右外側に金庫扉が移動することがないため、紙幣処理装置１の利用環境に応じて、右開きの金庫扉と左開きの２つの仕様を準備する必要がない。また、３台以上の紙幣処理装置１を左右方向に密着した状態で並べて利用する際にも金庫扉の操作性に問題が生ずることがない。
【００４９】
［変形例］
紙幣処理装置１の変形例を示す。以下の変形例では上述した構造と異なる機能及び構成を説明する。なお、以下に示す各変形例は紙幣処理装置１の一態様を示すが、紙幣処理装置１を複数の変形例を組み合わせた態様とすることもできる。
【００５０】
図１１は、図６に示すケース５０の変形例を示す図である。図１１に示すように、左右２つの側面のうち一方の側面の高さが他方の側面より低いケース５１を利用する態様であってもよい。右側面の枠材７０ｇは、１本のスライドレール６０を避けた形状となっている。このとき、左右２つの側面で、設けられたスライドレール６０の数が異なる態様であってもよい。例えば図１１に示すように右側面の高さを低くすれば、ケース５１からカセット２０を取り外す際、図１１に矢印で示すようにカセット２０を持ち上げる高さを低く抑えることができる。高さ方向（図１１上下方向）におけるスライドレール６０の配置位置は図１１に示す態様に限定されず、左側面の２本のスライドレール６０と、右側面のスライドレール６０とが、それぞれ互いに異なる高さに配置される態様であってもよい。例えば、左側面上側のスライドレール６０の配置高さと左側面下側のスライドレール６０の配置高さとの間の高さに、右側のスライドレール６０を配置する態様であってもよい。なお、ケース５０の左右側面にそれぞれ２本ずつスライドレール６０を設ける場合についても、同様に、左右のスライドレール６０が同じ高さに配置される態様に限定されず、左右で異なる高さにスライドレール６０を配置する態様であってもよい。
【００５１】
図１２は、図６に示すスライドレール６０の設置方法の変形例を示す図である。図１２に示すように、金庫本体３０の内側左右の側面に固定された枠材７０ｈよりさらに内側にスライドレール６０を設ける態様であってもよい。この場合、スライドレール６０の位置が幅方向内側に移動するため、図１２に示すケース５２の幅は、図６に示すケース５０の幅より狭くなっている。図１３は、図１２に示す構成を有する金庫のロック状態を側方から見た模式図である。図１３に示すように、スライドレール６０の設置位置を調整するための部材６１を金庫本体３０の内側左右の側面に固定して、この部材６１とケース５０の間をスライドレール６０によって接続する。図６で示したように枠体７０を複数の枠材７０ａ〜７０ｃに分割して、スライドレール６０を通す隙間を形成する必要がない。このため、図１３に示すように金庫本体３０上面から下面に至る１本の枠材７０ｈを利用することができる。これにより金庫の強度を高めることができる。
【００５２】
図１４は、図５に示すキャスター８０の変形例を示す図である。図１４に示すように、金庫扉３１の前面外側にキャスター８１を設ける態様であってもよい。また、キャスターの種類は特に限定されず、図５で示したように車輪８０ａを利用したキャスターであってもよいし、図１４に示すようにボールを利用したボールキャスターであってもよい。図１５は、図１４に示す構成を有する金庫を前方から見た模式図である。図１５では金庫扉３１を省略している。図１４に示す構成では、キャスター８１を金庫本体３０の内部に格納する必要がない。すなわち、図８で示したように枠体７０を複数の枠材７０ｃ〜７０ｅに分割して、キャスター８０を通す隙間を形成する必要がない。このため、図１５に示すように金庫本体３０の左側面から右側面に至る１本の枠材７０ｉを利用することができる。これにより金庫の強度を高めることができる。
【００５３】
図１６は、図３に示す搬送部１５の変形例を示す図である。図１６に示すように、上部ユニット１１内の搬送部１５ａとは別に、下部ユニット１０内に搬送部１５ｂを設けて、これら搬送部１５ａ、１５ｂの搬送路を１つの分岐搬送路で接続する態様であってもよい。搬送部１５ｂは、搬送ユニット９１としてユニット化されている。図１７は、図１６に示す紙幣処理装置１の金庫扉３１を開いた状態を示す外観図である。図１７に示すように、金庫扉３１を開いて前面側に引き出したケース５０からカセット２０を抜き取ることができる。搬送ユニット９１は、装置左右方向の一方側を支持軸として、該支持軸周りに回動可能に設けられている。搬送ユニット９１の下側にある収納部１９の点検を行う際には、ケース５０を一番手前まで引き出し、搬送ユニット９１を回動して収納部１９を露出させて点検を行えるようになっている。
【００５４】
図１８は、図１６に示す紙幣処理装置１の変形例を示す図である。図１８に示すように、下部ユニット１０内の搬送部１５ｂをカセット２０の上面まで延接した態様であってもよい。搬送部１５ｂは２つに分割され、第１搬送ユニット９２及び第２搬送ユニット９３としてユニット化されている。図１９は、図１８に示す紙幣処理装置１の金庫扉３１を開いた状態を示す外観図である。第１搬送ユニット９２及び第２搬送ユニット９３はそれぞれが装置左右方向の一方側を支持軸として、該支持軸周りに回動可能に設けられている。図１９に示すように、金庫扉３１を開いてケース５０を前面側に引き出し、第１搬送ユニット９２を回動することにより、ケース５０からカセット２０を抜き取ることができる。第２搬送ユニット９３の下側にある収納部１９の点検を行う際には、ケース５０を一番手前まで引き出し、第２搬送ユニット９３を回動して収納部１９を露出させて点検を行えるようになっている。
【００５５】
図２０は、図３に示す紙幣処理装置１の変形例を示す図である。図２０に示すように、紙幣処理装置１が装置背面側にカセット２０を備え、カセット２０の上面に金庫扉３２を備える態様であってもよい。収納部１９及びカセット２０の点検等を行えるよう、図２に示したように紙幣処理装置１の前面側に金庫扉３１を設け、これに加えて装置背面側に図２０に示す金庫扉３２を設けた態様である。図２に示すように金庫扉３１を開いて、ケース５０に収められた収納部１９及びカセット２０を装置外側に引き出すことができる。また、ケース５０を装置内に収めた状態で背面側の金庫扉３２を開いて、カセット２０を上方へ抜き取ることができる。これにより、例えば、紙幣処理装置１が設置された店舗や金融機関の従業者は前面の金庫扉３１を利用し、店舗や金融機関の依頼を受けてカセット２０を回収に来た警送会社の担当者は装置背面側の金庫扉３２を利用してカセット２０を回収するといった運用が可能となる。図２０に示す紙幣処理装置１では、カセット２０よりさらに背面側に、ボルトワーク４０が設けられ、ボルトワーク４０の上面に、上下方向に進退可能なロック板４１が設けられている。金庫扉３２は、上面に把手３２ｃを有し、下面にはロック板４１によってロック状態を実現するための溝部３２ａが形成されている。また、金庫扉３２の下面には、図２０に矢印で示すように金庫扉３２を後方へスライドした際に、金庫扉３２が脱落しないようにストッパ３２ｂが設けられている。下部ユニット１０の背面、すなわちボルトワーク４０の背面に、電子錠４２及びレバー４３が設けられている。電子錠４２を解錠してレバー４３を回動することにより、ロック板４１が溝部３２ａ内へ進入したロック状態と、ロック板４１が溝部３２ａの外側へ退避した非ロック状態とを切り換えることができる。
【００５６】
図２１は、図２０に示す紙幣処理装置１の変形例を示す図である。図２１は、カセット２０が装置前方に設けられ、カセット２０に合わせて金庫扉３２及びボルトワーク４０が装置前方に設けられている点が図２０と異なっている。この構成の場合、図２に示した金庫扉３１を背面側に設けることで、図２０に示した場合と同様に２つの金庫扉３１、３２を利用することができる。具体的には、背面側の金庫扉３１を開いて収納部１９及びカセット２０の点検等を行い、前面側の金庫扉３２を開いてカセット２０を取り出すことができる。なお、図２０に示す構成と図２１に示す構成との関係と同様に、図１及び図２に示した構成についても、カセット２０を下部ユニット１０内の背面側に設け、背面側に設けた金庫扉３１を後方へスライド移動させて開く態様であってもよい。
【００５７】
図２２は、図２０及び図２１に示す金庫扉３２を開いた状態を示す模式図である。電子錠４２を操作して解錠してレバー４３を回動し、金庫扉３２の裏面に形成された溝部３２ａの外側までロック板４１を後退させた非ロック状態とする。非ロック状態で把手３２ｃを後方へ引いて金庫扉３２をスライド移動することにより、図２２に矢印で示すようにカセット２０を上方へ引き抜くことができる。金庫扉３２をスライド移動する際、金庫扉３２が脱落しないように、金庫扉３２の背面側にあるストッパ３２ｂがボルトワーク４０から突出したロック板４１と接触して金庫扉３２が停止するようになっている。
【００５８】
図２３は、カセット２０の上面に設けた金庫扉３２の外観を示す模式図である。図２３（ａ）は金庫扉３２を閉じた状態を示し、図２３（ｂ）は金庫扉３２をスライド移動して開いた状態を示している。下部ユニット１０の金庫本体３０上部には前後方向に溝が形成されている。金庫扉３２は、この溝に沿って前後方向にスライド移動する。
【００５９】
図２４は、図２０〜図２３に示す金庫扉３２の変形例を示す図である。図２４に示すように、金庫扉３３の裏面にボルトワーク４０を設ける態様であってもよい。例えば、図１０で示したようにボルトワーク４０の左右両側面にロック板４１を設け、金庫本体３０内側の対応する位置にロック板４１が進入可能な穴を形成する。これにより、ロック板４１が穴内に進入したロック状態と、ロック板４１が穴から退避した非ロック状態とを実現することができる。
【００６０】
上述したように、本実施形態に係る紙幣処理装置１によれば、紙幣処理装置１が有する下部ユニット１０を金庫として利用することができる。金庫本体３０の開口部を閉塞する金庫扉３１〜３３を金庫本体３０から離れる方向へスライド移動させることによって金庫扉３１〜３３を開き、金庫本体３０の開口部を開放することができる。金庫扉３１〜３３を開閉する際、従来装置のように、金庫扉３１〜３３が装置右側又は装置左側へ移動することがない。このため、従来装置のように金庫扉３１〜３３の開閉動作によって紙幣処理装置１の設置場所が制約されることがない。また、紙幣処理装置１を３台以上並べて使用する場合でも金庫扉３１〜３３の開閉に係る操作性が損なわれることがない。すなわち、従来に比べて金庫扉３１〜３３に係る操作性を向上することができる。
【産業上の利用可能性】
【００６１】
以上のように、本発明に係る貨幣処理装置は、貨幣処理装置が備える金庫の金庫扉に係る操作性を向上するために有用である。
【符号の説明】
【００６２】
１  紙幣処理装置
１０  下部ユニット
１１  上部ユニット
１２  入金口
１３  出金口
１４  リジェクト口
１５（１５ａ、１５ｂ）  搬送部
１６  識別部
１７  制御部
１８  一時保留部
１９  収納部
２０  カセット
２１  操作部
２２  表示部
３０  金庫本体
３１〜３３  金庫扉
４０  ボルトワーク
４１  ロック板
４２  電子錠
４３  レバー
５０、５２  ケース
６０  スライドレール
７０  枠体
８０、８１  キャスター
９１〜９３  搬送ユニット
【図１】
2020021236.tif 000003
【図２】
2020021236.tif 000004
【図３】
2020021236.tif 000005
【図４】
2020021236.tif 000006
【図５】
2020021236.tif 000007
【図６】
2020021236.tif 000008
【図７】
2020021236.tif 000009
【図８】
2020021236.tif 000010
【図９】
2020021236.tif 000011
【図１０】
2020021236.tif 000012
【図１１】
2020021236.tif 000013
【図１２】
2020021236.tif 000014
【図１３】
2020021236.tif 000015
【図１４】
2020021236.tif 000016
【図１５】
2020021236.tif 000017
【図１６】
2020021236.tif 000018
【図１７】
2020021236.tif 000019
【図１８】
2020021236.tif 000020
【図１９】
2020021236.tif 000021
【図２０】
2020021236.tif 000022
【図２１】
2020021236.tif 000023
【図２２】
2020021236.tif 000024
【図２３】
2020021236.tif 000025
【図２４】
2020021236.tif 000026